(57)【要約】【課題】  ペットを飼う以上、マナーを守り、清潔な環境生活が望まれる。  飼い主の悩みの１ツは、室内に抜け落ちた毛の掃除である。  従来の、掃除機や、ロール吸着テープだが、毎日の事で取り残しが多く特に、絨毯、カーペット等に絡み付いた毛は除去しにくい。  それら解決の為に、昔からある、亀の子束子と、ナイロン束子の改良ブラシを考案した。  室内に抜け落ちた毛を根こそぎ除去する、エコのぺット用ブラシを提供する。【解決手段】  ペットは飼い主との関係で、動くだけで、毛が抜け落ちる、ペットの毛は細く短く見えにくい上、飛散しやすく絡み付き易い為、除去が困難である。  それらを改善する為、亀の子束子の繊維の特徴を生かし改良し、可愛いい柄と帯を付けたブラシである。  ナイロン束子も同じく改良、耐汚染性を生かしたカラー色ブラシである。  束子から考案した２種類の、ペット用ブラシは簡単で両面使用、何時でも何処でも抜け落ちた毛を根こそぎ除去効果大である。【選択図】図１
2011078391.tif 000002
【特許請求の範囲】
【請求項１】
ペットと生活する、飼い主の悩みの１ツは、抜け毛が上げられ、中でも、室内に抜け落ちた毛の除去である。
掃除機や、ロール吸着テープ等で対応しているが、ペット特有の毛は、細く短く絡みつき飛散する、抜け毛の取り残しが悩み種である。
ブラシは、昔からある、亀の子束子を改良したブラシは、繊維の性質がペットから抜け毛落ちた、毛や汚れまでも根こそぎ除去する。
特に絨毯やカーペット等の敷物に向く、ブラシの柄や帯に、犬や猫のグッツで可愛いいエコブラシに改良した、毛トールブラシ。
【請求項２】
ナイロン束子を改良したブラシは耐汚染性である。
カラー色が多くあり、抜け毛をしっかり除去する、カラーで綺麗なナイロン製ブラシは布地製品、布張りソファやカバー類に使用、敷織物にも使用可能、飼い主が何処でも何時でも使える優れ物、室内や車の中に抜け落ちた毛をスッキリ除去する、請求項１の毛トールブラシ。
【発明の詳細な説明】
【技術分野】
【０００１】  本発明は、今、核家族の上、少子化等で、ペットと室内で一緒に生活をする方が増加していると、新聞に載っていた、ペットとの生活も快適に楽しく過ごすためにも問題が多い。
飼い主の共通の悩みの中で、体を直接ブラッシングして、抜け毛を取るグッツはあるが、ペットの毛が、室内や、車の中等に抜け落ちた毛は付着し、スッキリ除去するグッツは少なく、飼い主の悩みの１ツである、それらを解決するには、家族の誰もが簡単に、便利に使えるブラシを発明した。
昔からある亀の子束子と、ナイロン束子を改良し、柄や帯を付けて、ペット用に可愛いいデザインで使いやすい、ブラシを発明した。
環境に良いエコの、ペット用ブラシは、室内、車の中等に抜け落ちたペットのしつこい抜け毛を根こそぎ除去する効果が大きい、毛トールブラシの改良に関するものである。
【背景技術】
【０００２】  ペットを飼っている家庭では、室内に抜け落ちた毛の処理方法は、掃除機か、ロール式粘着テープ等を使う掃除で、グッツの数も少ない。
その上、絨毯、カーペット、ソファ、ベットの他、格布地のカバー類、被服等に付着した毛は取り残しがあり悩みが多い。
特に室内犬や、猫の抜け毛は、細く短く見にくいうえ、飛散するので除去するには手間が掛かる。
【先行技術文献】
【０００３】
【特許文献１】  実開平５−７６２６０号公報
【発明の概要】
【発明が解決しようとする課題】
【０００４】  ペットを、飼う以上、マナーを守り楽しい、ペットとの清潔な環境が望まれる。
その１ツとして、室内や車の中に、ペットの抜け毛が多く付着する。
掃除後でも取り残しがある。
ペットの抜け毛は細く短い上見えにくい、部屋の家具の間や、棚等に飛散する。
現在、掃除機の機能も開発されてはいるものの、毎日のことで取り残しがあり、空気の汚れや音も気になる。
ロール式吸着テープは、スペアの交換と買い置き必要である。
室内での、抜け毛は、特に、絨毯、カーペット等の毛織敷物、布地に絡み付きやすく、さらに除去しにくい。
飼い主の悩み種を解決するために、ペットの抜け毛を根こそぎ除去するための、エコで環境に良い、毛トールブラシを発明した。
本発明は以上の問題点を解決するものである。
【課題を解決するための手段】
【０００５】  ペットの毛は、絡み付きやすく除去が困難な上、家具の上部や隙間、棚の上にも飛散しやすいため、抜け毛やゴミまでも、簡単、便利、誰にでも使えるような、ブラシを発明した。
昔からある、亀の子束子を改良し、柄や帯を付け使いやすく可愛いい。
ペット用ブラシは、両面使えて、絨毯等の毛織敷物に使用できる。
これは、抜け毛だけでなく、食べこぼし等の汚れも取る。
ナイロン束子も同じく改良したブラシはカラー色で綺麗なうえ、耐汚染性で抜け毛をしっかり吸着し、布張りソファや、カバー類等の布地に使用する。
また、毛織敷物にも使用可能である。
エコで環境に良い、毛トールブラシは、使用後、水洗いして水気を切り干すだけ、何回でも何処でも使える。
抜け毛を根こそぎ取ったブラシを目にして驚く、各部屋にも置いて、ブラシを掛けながら、テレビ観戦も出来る。
以上のように構成されたペット用、毛トールブラシである。
【発明の効果】
【０００６】  ペットと生活をしている飼い主は、必ずペットの体にはブラシを掛ける。
室内犬や猫は動くだけで毛が抜け、抜け落ちた毛は見えにくく毎日のことである。
抜け毛を家族の誰でも、毛トールブラシに霧吹きをし、雑巾掛けのように簡単に、絨毯等を撫でるだけで絡み付いた抜け毛はスッキリ取れ、デザインも可愛いい、両面が使える。
掃除機を掛けた後の取り残した毛も、家具の上部や隙間、棚に上の汚れにも使用できる。
ブラシを濡らして使用することが大事である。
それは、毛やゴミが飛散らない、手早く除去し、ブラシに吸着した毛を取り出しやすい。
２種のブラシは何時でも何処でも誰にでも使える。
環境に良いエコブラシ、毛トールブラシである。
【図面の簡単な説明】
【０００７】
【図１】  亀の子タワシを改良し、ペットブラシ（犬用製）柄の付いたブラシの正面から見た説明図である。
【図２】  ナイロンタワシを改良し、ペットブラシ（猫用製）柄の付いたブラシの正面から見た説明図である。
【図３】  図１、図２を側面から見た説明図である。
【発明を実施するための形態】
【０００８】  以下、本発明の実施の形態を説明する。
亀の子束子を改良したブラシ（１）絨毯、カーペット、キッチンマット等、足元に落ちた毛や汚れの除去に使用、飼い主が犬なら、骨グッツの柄（２）の滑り止めに切り込み（３）吊り下げ用穴（４）吊り下げ紐（５）を設ける。
ナイロン束子を改良した毛ナイロンのブラシ（６）は、カラーで、綺麗、布張りソファ、クッション、ベット、カバー類の布地用に使用する。
飼い主が猫なら、猫の肉球グッツの柄（７）ブラシの繊維の中心を止める首輪式帯（８）を設ける。
ブラシ（１）と毛ナイロンのブラシ（６）の、２種類とも改良したブラシは、犬、猫と柄のみを変えるだけあとは同じ、飼い主が選び、何時でも何処でも使用できる。
【符号の説明】
【０００９】    １  ブラシ
２  骨グッツの柄
３  柄の滑り止めの切り込み
４  吊り下げ用穴
５  吊り下げ紐
６  毛ナイロンのブラシ
７  肉球グッツの柄
８  ブラシ毛の束ねた中心に、首輪等式グッツのナイロン帯
【図１】
2011078391.tif 000003
【図２】
2011078391.tif 000004
【図３】
2011078391.tif 000005